(57)【要約】【課題】複数のチューナーを備え、使用するチューナーに依らず安定した受信が可能な送受信装置、及びこの放送受信装置のチャンネル設定方法を提供する。【解決手段】本発明の放送受信装置は、複数のチューナーを含むチューナー群１１と、放送波の復調を行う復調部１２と、情報の記録を行うＲＡＭ１５及びＨＤＤ１７とを有する。また、検出部１４ｂ及び第１判定部１４ｃを有する。更に、検出部１４ｂによって放送波が受信可能であることが検出され、且つ、検出部１４ｂによって検出された周波数帯域の放送波をその検出に用いられたチューナーが受信している状態において、その検出に用いられたチューナーより得られる信号の品質が所定レベルより良好であると第１判定部１４ｃにより判定された物理チャンネルを示すチャンネルテーブルを生成してＲＡＭ１５又はＨＤＤ１７に記録するチャンネル設定部１４ｄを有する。【選択図】図３
2014171070.tif 000002
【特許請求の範囲】
【請求項１】
放送波の受信及び選局を行うチューナーを複数含む放送受信部と、
前記放送波の復調を行う復調部と、
情報の記録を行う記録部と、
前記チューナーにより放送波を受信可能な周波数帯域を検出する検出部と、
前記検出部によって検出された周波数帯域の放送波を前記検出に用いられた前記チューナーが受信している状態において、前記検出に用いられた前記チューナーより得られる信号の品質が所定レベルより良好であるか否かを前記復調部を用いて判定する第１判定部と、
前記検出部によって検出され、且つ、前記第１判定部の判定結果が否でない周波数帯域を示す選局用情報を生成して前記記録部に記録するチャンネル設定部とを備える、放送受信装置。
【請求項２】
前記検出に用いられた前記チューナーを除く前記放送受信部に含まれる前記チューナーであって、前記検出部によって検出され、且つ、前記第１判定部の判定結果が否である周波数帯域の放送波を受信可能な前記チューナーの個数が所定の自然数以上であるか否かを判定する第２判定部を備え、
前記チャンネル設定部は、前記検出部によって検出され、且つ、前記第１判定部の判定結果が否であり、且つ、前記第２判定部の判定結果が否でない周波数帯域を示す選局用情報も生成して前記記録部に記録する、請求項１に記載の放送受信装置。
【請求項３】
前記検出部によって検出され、且つ、前記第１判定部の判定結果が否であり、且つ、前記第２判定部の判定結果が否でない周波数帯域の放送波を最も良好な信号品質で受信する前記チューナーを特定する特定部を備え、
前記チャンネル設定部は、前記特定部によって特定された前記チューナーを、前記検出部によって検出され、且つ、前記第１判定部の判定結果が否であり、且つ、前記第２判定部の判定結果が否でない周波数帯域の放送波の受信用チューナーとして前記選局用情報に記録すること、請求項２に記載の放送受信装置。
【請求項４】
前記検出部は、前記チューナーにより受信された放送波を前記復調部により復調することにより得られるデジタルデータを解析し、前記解析の結果に基づいて、放送波を受信可能な周波数帯域を検出する、請求項１〜請求項３のいずれかに記載の放送受信装置。
【請求項５】
選局指示を受け付け、前記選局指示により指示された放送波を、前記選局用情報に記録されている前記周波数帯域を用いて受信するよう前記放送受信部を制御する選局制御部を備える、請求項１〜請求項４のいずれかに記載の放送受信装置。
【請求項６】
複数のチューナーの中から選択された一つのチューナーにより放送波を受信可能な周波数帯域を検出する検出工程と、
前記検出工程によって検出された周波数帯域の放送波を前記検出に用いられた前記チューナーが受信している状態において、前記検出に用いられた前記チューナーより得られる信号の品質が所定レベルより良好であるか否かを判定する判定部と、
前記検出工程によって検出され、且つ、前記判定工程の判定結果が否でない周波数帯域を示す選局用情報を生成して記録するチャンネル設定工程とを備える、チャンネル設定方法。
【発明の詳細な説明】
【技術分野】
【０００１】
本発明は、放送波を受信する放送受信装置に関するものであり、特に複数のチューナーを備えた放送受信装置、及びこの放送受信装置のチャンネル設定方法に関する。
【背景技術】
【０００２】
近年、複数のチューナーを備え、複数のチャンネルの番組を同時に録画する機能を備えた放送受信装置が実用化されている。さらには、複数のチューナーを連続稼働させることにより、２４時間ほぼ休むことなく録画を行う常時録画機能を備えた放送受信装置も実用化されている。
【０００３】
上記のような放送受信装置では、放送の受信や録画を行う際に、使用するチューナーを選択して切り換えることが可能である。チューナーの切り換えは、例えばユーザ操作によって行うことも可能であるし、或いは放送受信装置が空き状態のチューナーを検出して自動的に行うことも可能である。
【０００４】
上記に関連して、Ｃ／Ｎ比検出部の検出結果に基づいて、復調に使用するチューナー部を選択し、選択されたチューナー部に電源を供給し、選択されなかったチューナー部への電源供給を停止する放送受信装置が開示・提案されている（例えば特許文献１を参照）。
【先行技術文献】
【特許文献】
【０００５】
【特許文献１】特開２０１２−１０４８６３号公報
【発明の概要】
【発明が解決しようとする課題】
【０００６】
しかしながら、複数チューナーを備える放送受信装置では、チューナーの個体差等により、各チューナーの受信感度にバラツキが生じることがある。このような場合、同一の物理チャンネル（＝周波数帯域）の放送波を、あるチューナーでは良好に受信できたとしても、他のチューナーでは良好に受信できない可能性がある。
【０００７】
このため、初期設定時等にチャンネル設定で使用されたチューナーと、録画時のチューナーとが異なった場合に、録画時のチューナーで当該物理チャンネルを良好に受信できず、録画に失敗する恐れがあった。これを防止するために、チャンネル設定時に全物理チャンネルの受信状態を全チューナーでチェックする方法も考えられるが、これではチャンネル設定に多くの時間を要するという問題がある。
【０００８】
本発明は、上記の問題を解決するためになされたものであって、その目的は、複数のチューナーを備える放送受信装置、及びこの放送受信装置のチャンネル設定方法であって、使用するチューナーに依らず安定した受信が可能な送受信装置及びチャンネル設定方法を提供することにある。
【課題を解決するための手段】
【０００９】
上記目的を達成するために本発明の放送受信装置は、放送波の受信及び選局を行うチューナーを複数含む放送受信部と、前記放送波の復調を行う復調部と、情報の記録を行う記録部と、前記チューナーにより放送波を受信可能な周波数帯域を検出する検出部と、前記検出部によって検出された周波数帯域の放送波を前記検出に用いられた前記チューナーが受信している状態において、前記検出に用いられた前記チューナーより得られる信号の品質が所定レベルより良好であるか否かを前記復調部を用いて判定する第１判定部と、前記検出部によって検出され、且つ、前記第１判定部の判定結果が否でない周波数帯域を示す選局用情報を生成して前記記録部に記録するチャンネル設定部とを備える構成（第１の構成）とする。
【００１０】
この構成によると、チャンネル設定において、単に放送波を受信可能である周波数帯域というだけでは受信用チャンネルとして登録されず、選局用情報に含めず、放送波を受信可能であり、且つ、チャンネル設定時のチューナーより得られる信号の品質が所定レベルより良好である周波数帯域であることが確認できて初めて受信用チャンネルとして登録される。これにより、チャンネル設定時のチューナーと受信時のチューナーとが異なる可能性のある放送受信装置において、受信の信頼性を向上させることができる。
【００１１】
また上記第１の構成の放送受信装置は、前記検出に用いられた前記チューナーを除く前記放送受信部に含まれる前記チューナーであって、前記検出部によって検出され、且つ、前記第１判定部の判定結果が否である周波数帯域の放送波を受信可能な前記チューナーの個数が所定の自然数以上であるか否かを判定する第２判定部を備え、前記チャンネル設定部が、前記検出部によって検出され、且つ、前記第１判定部の判定結果が否であり、且つ、前記第２判定部の判定結果が否でない周波数帯域を示す選局用情報も生成して前記記録部に記録する構成（第２の構成）とすることが好ましい。
【００１２】
この構成によると、チャンネル設定時のチューナーで放送波を受信可能な周波数帯域に関して、チャンネル設定時のチューナーより得られる信号の品質が所定レベルより良好でない場合であっても、当該チャンネル設定時のチューナーを除くチューナーのうち所定の自然数以上のチューナーで受信可能であれば、受信用チャンネルとして登録する。これにより、受信の信頼性を維持しつつ、登録チャンネルをより多く確保できる。
【００１３】
また上記第２の構成の放送受信装置は、前記検出部によって検出され、且つ、前記第１判定部の判定結果が否であり、且つ、前記第２判定部の判定結果が否でない周波数帯域の放送波を最も良好な信号品質で受信する前記チューナーを特定する特定部を備え、前記チャンネル設定部が、前記特定部によって特定された前記チューナーを、前記検出部によって検出され、且つ、前記第１判定部の判定結果が否であり、且つ、前記第２判定部の判定結果が否でない周波数帯域の放送波の受信用チューナーとして前記選局用情報に記録する構成（第３の構成）とすることが好ましい。
【００１４】
この構成によると、信号品質の良いチューナーを優先して使用することができる。
【００１５】
また上記第１〜第３のいずれかの構成の放送受信装置は、前記チャンネル設定部が、前記チューナーにより受信された放送波を前記復調部により復調することにより得られるデジタルデータを解析し、前記解析の結果に基づいて、放送波を受信可能な周波数帯域を検出する構成（第４の構成）とすることが好ましい。
【００１６】
この構成によると、放送波を受信できる周波数帯域であるか否かを、放送波を復調することにより得られるＴＳ（Transport Stream）等のデジタルデータに基づいて容易に判定することができる。
【００１７】
また上記第１〜第４のいずれかの構成の放送受信装置は、選局指示を受け付け、前記選局指示により指示された放送波を、前記選局用情報に含まれる周波数帯域を用いて受信するよう前記放送受信部を制御する選局制御部を有する構成（第５の構成）とすることが好ましい。
【００１８】
この構成によると、上述したチャンネル設定方法により設定された周波数帯域を、ユーザからの選局指示に応じて選局及び受信することが可能である。
【００１９】
また上記目的を達成するために本発明のチャンネル設定方法は、複数のチューナーの中から選択された一つのチューナーにより放送波を受信可能な周波数帯域を検出する検出工程と、前記検出工程によって検出された周波数帯域の放送波を前記検出に用いられた前記チューナーが受信している状態において、前記検出に用いられた前記チューナーより得られる信号の品質が所定レベルより良好であるか否かを判定する判定部と、前記検出工程によって検出され、且つ、前記判定工程の判定結果が否でない周波数帯域を示す選局用情報を生成して記録するチャンネル設定工程とを備える。
【００２０】
この構成によると、チャンネル設定において、単に放送波を受信可能である周波数帯域というだけでは受信用チャンネルとして登録されず、選局用情報に含めず、放送波を受信可能であり、且つ、チャンネル設定時のチューナーより得られる信号の品質が所定レベルより良好である周波数帯域であることが確認できて初めて受信用チャンネルとして登録される。これにより、チャンネル設定時のチューナーと受信時のチューナーとが異なる可能性のある放送受信装置において、受信の信頼性を向上させることができる。
【発明の効果】
【００２１】
本発明によれば、チューナーの個体差等に起因する受信失敗を回避し、安定した受信が可能である。また、放送波を受信可能な周波数帯域の検出を必ず全てのチューナーで判定する方法と比較して、処理に要する時間を短縮することができる。
【図面の簡単な説明】
【００２２】
【図１】本発明の一実施形態に係る放送受信装置の内部構成を示すブロック図である。
【図２】本発明の一実施形態に係る機能部の構成を示すブロック図である。
【図３】本発明の第一の実施形態に係るチャンネル設定処理を示すフロー図である。
【図４】本発明の二実施形態に係る機能部の構成を示すブロック図である。
【図５】本発明の第二の実施形態に係るチャンネル設定処理を示すフロー図である。
【発明を実施するための形態】
【００２３】
〈実施の形態１〉
以下に本発明の第１の実施形態を、図面を参照しながら説明する。なお、ここで示す実施形態は一例であり、本発明はここに示す実施形態に限定されるものではない。
【００２４】
〈１−１．内部構成について〉
図１は、本発明の第１の実施形態に係るＨＤＤレコーダ１００（＝放送受信装置の一例）の内部構成を示すブロック図である。図１のブロック図に示すように、本発明のＨＤＤレコーダ１００は、外部接続される装置としてアンテナ１を備えている。
【００２５】
またＨＤＤレコーダ１００は少なくとも、第１チューナー１１ａ、第２チューナー１１ｂ、第３チューナー１１ｃからなるチューナー群１１（＝放送受信部の一例）、第１復調ＩＣ１２ａ、第２復調ＩＣ１２ｂ、第３復調ＩＣ１２ｃからなる復調部１２、操作入力部１３、ＣＰＵ１４、ＲＡＭ１５（＝記録部の一例）、ＲＯＭ１６、ＨＤＤ１７（＝記録部の一例）、オーディオフィルタ２１、オーディオデコーダ２２、ビデオフィルタ３１、ビデオデコーダ３２、データフィルタ４１、データデコーダ４２、及び出力部５１を備えている。
【００２６】
チューナー群１１は、アンテナ１から地上デジタルＴＶ放送信号を受信し、所望の物理チャンネル（＝周波数帯域）での選局を行う。各チューナーは、ユーザに選局指示されたチャンネルや、録画の対象とされたチャンネルの放送波を受信する。なお各チューナーが受信を担当するチャンネルは、チューナーの空き状態等に応じて適宜変更することが可能である。
【００２７】
復調部１２は、チューナー群１１から入力される選局された信号を復調及びエラー訂正し、ＴＳ（Transport Stream）を出力する。また復調部１２は、ＯＦＤＭ（Orthogonal Frequency Division Multiplexing）信号の判定、入力信号のＣ／Ｎ（Carrier／Noise）比計算、復調されたデジタルデータのＢＥＲ（Bit Error Rate）計算等を行う。復調部１２により復調されたＴＳは、後述するオーディオフィルタ２１、ビデオフィルタ３１、及びデータフィルタ４１に与えられる。
【００２８】
操作入力部１３は、不図示のリモコン、及びリモコン受光部を含む。リモコンには、ＨＤＤレコーダ１００に対して選局指示等を行うための、プッシュボタンやタッチセンサ等が含まれている。また操作入力部１３は、ＨＤＤレコーダ１００のハウジングに設けられたハードキーやタッチパネル等を含む。
【００２９】
操作入力部１３は、上記装置のいずれかにより受け付けたユーザ操作に基づく操作信号を生成し、出力する。なお操作入力部１３は、必ずしも上記装置の全てを含む必要はなく、上記装置の一部のみを含む形態でもよい。
【００３０】
ＣＰＵ１４は、各種演算、処理、制御を行う演算処理装置である。ＣＰＵ１４は、ＨＤＤレコーダ１００の各部材の駆動を有機的に制御して、放送受信処理等を統括制御する。ＲＡＭ１５は、ＣＰＵ１４のワークメモリ等に用いられる。ＲＯＭ１６は、ＣＰＵ１４が実行する制御プログラム等を格納する。
【００３１】
ＨＤＤ１７は、デジタルデータを記録する磁気記録媒体である。ＨＤＤ１７は、複数の磁気ディスクを回転させつつ、アクチュエータによりヘッドを移動させることにより、データの記録や読み出しを行う。本実施形態では主に、放送波に含まれる画像／音声データから生成される録画データを記録するのに用いられる。
【００３２】
オーディオフィルタ２１は、復調部１２から出力されたＴＳからオーディオデータのみを抽出する。オーディオデコーダ２２は、抽出されたオーディオデータを復号し、復号したデジタル音声信号を出力部５１へ出力する。
【００３３】
ビデオフィルタ３１は、復調部１２から出力されたＴＳからビデオデータのみを抽出する。ビデオデコーダ３２は、抽出されたビデオデータを復号し、復号したデジタル画像信号を出力部５１へ出力する。
【００３４】
データフィルタ４１は、復調部１２から出力されたＴＳから伝送パラメータ、ＮＩＴ（Network Information Table）、番組情報、データ放送等のデータを抽出する。データデコーダ４２は、抽出されたデータを復号する。復号されたデータは、ＲＡＭ１５等に記録される。
【００３５】
出力部５１は、スピーカ等の音声装置を接続して音声信号を出力するための音声出力端子や、液晶パネル等の表示装置を接続して画像信号を出力するための画像出力端子等を含む。
【００３６】
〈１−２．機能部の構成について〉
ここで、本発明の第１の実施形態に係るチャンネル設定処理を実施するための各機能部の構成を、図２の機能ブロック図を用いながら説明する。なお図２においてＣＰＵ１４の内部に図示されている機能ブロックは、ＣＰＵ１４が所定のプログラムを実行することにより実現される機能部を表している。
【００３７】
図２に示すように、本実施形態のチャンネル設定処理は、選局制御部１４ａ、検出部１４ｂ、第１判定部１４ｃ、及びチャンネル設定部１４ｄにより実施される。
【００３８】
選局制御部１４ａは、後述するチャンネル設定部１４ｄにより生成されるチャンネルテーブル（＝選局用情報の一例）と、ユーザ指示されたチャンネル番号とから、選局及び受信の試行を行うよう、チューナー群１１に含まれるいずれかのチューナーを制御する。
【００３９】
より具体的には、選局制御部１４ａは、操作入力部１３に含まれるチャンネルボタンがユーザにより押下されたか否かを監視する。チャンネルボタンが押下された場合、押下されたチャンネルボタンのチャンネル番号に対応する放送波の物理チャンネルを、チャンネルテーブルにより判別し、この物理チャンネルを用いて受信を試行する。
【００４０】
受信に失敗した場合、チャンネルテーブルに複数の物理チャンネルが登録されていれば、選局制御部１４ａは未チェックの物理チャンネルを抽出し、この物理チャンネルを用いて受信を試行する。この繰り返しを行い、受信できる物理チャンネルを検索する。
【００４１】
検出部１４ｂは、ＨＤＤレコーダ１００の初期設定時等において、放送波を受信可能な物理チャンネルを検出する。本実施形態では、検出部１４ｂは、復調部１２から出力されるＴＳを解析することにより、各物理チャンネルで、放送波を受信可能であるか否かの判定を行う。なお、具体的な判定方法としては、例えばＴＳに含まれるＮＩＴ（Network Information Table）やＥＩＴ（Event Information Table）等のデータを正常に取得できた場合に、放送波を受信可能であると判定する。
【００４２】
放送波を受信可能な物理チャンネルが検出された場合、第１判定部１４ｃが、検出された物理チャンネルの放送波をその検出に用いられたチューナーが受信している状態において、その検出に用いられたチューナーより得られる信号の品質が所定レベルより良好であるか否かを復調部１２を用いて判定する。具体的には、復調部１２により計算されたＣ／Ｎ比やＢＥＲを用いて判定する。
【００４３】
チャンネル設定部１４ｄは、検出部１４ｂによって検出され、且つ、第１判定部１４ｃにより信号の品質が所定レベルより良好であると判定された物理チャンネルと、放送波に関連する情報（例えば放送局名）と、所定のチャンネル番号と、を関連付けることにより、チャンネルテーブルを生成してＲＡＭ１５又はＨＤＤ１７に記録する。これにより以降は、ユーザはチャンネル番号を指定するだけで選局を行うことができるようになる。なお、所定のチャンネル番号は、例えばユーザ設定等により任意に変更可能である。
【００４４】
〈１−３．チャンネル設定処理について〉
ここで、本発明の第１の実施形態に係るＨＤＤレコーダ１００が実施する、チャンネル設定処理について、図３のフロー図を用いながら説明する。なお以下の処理フローでは、チューナー群１１より得られる信号の品質を判定するための指標として、Ｃ／Ｎ比を用いる形態を例示するものとする。
【００４５】
本実施形態の処理フローは、ＨＤＤレコーダ１００の初期設定が実施される等により、チャンネル設定の開始指示が発行された時点で開始される。なおこの指示は、ユーザが設定画面等により、手動で発行することも可能である。
【００４６】
本処理の開始後、検出部１４ｂはステップＳ１１０において、チューナー群１１及び復調部１２を制御することにより、放送波を受信可能な物理チャンネルの取得を行う。
【００４７】
例えば検出部１４ｂは、第１復調ＩＣ１２ａを介して、第１チューナー１１ａへ選局情報を送る。第１チューナー１１ａはこの選局情報を受けて選局を行い、変調波を第１復調ＩＣ１２ａへ出力する。第１復調ＩＣ１２ａは変調波を復調し、この復調結果を検出部１４ｂへ送る。この際、第１復調ＩＣ１２ａは、Ｃ／Ｎ比計算を行い、結果を不図示のモニタレジスタに格納する。
【００４８】
次に第１判定部１４ｃはステップＳ１２０において、上記のモニタレジスタを参照することにより、当該物理チャンネルのＣ／Ｎ比を取得する。
【００４９】
次に第１判定部１４ｃはステップＳ１３０において、取得したＣ／Ｎ比が、予め定められた規定値を超えるか否かを判定する。規定値を超える場合、つまり信号品質が所定レベルより良いと判定された場合、チャンネル設定部１４ｄはステップ１４０において、この物理チャンネルをチャンネルテーブルに登録する。
【００５０】
一方、規定値を超えない場合、つまり信号品質が所定レベル以下で悪いと判断された場合、チャンネル設定部１４ｄはステップＳ１３１において、この物理チャンネルをチャンネルテーブルに登録しないことを決定する。
【００５１】
次にチャンネル設定部１４ｄはステップＳ１５０において、ステップＳ１１０で取得された受信可能な物理チャンネルの全てに対して、Ｃ／Ｎ比のチェック及びチャンネル設定が完了したか否かを判定する。完了していない場合、再びステップＳ１２０へ移行する。これにより、物理チャンネルを変更して、Ｃ／Ｎ比のチェック及びチャンネル設定を行う。完了している場合、本処理を終了する。
【００５２】
以上に説明した本実施形態によれば、単に放送波を受信可能な物理チャンネルというだけではチャンネルテーブルに登録せず、放送波を受信可能であり、且つ、チャンネル設定時のチューナーより得られる信号の品質が規定値を超える物理チャンネルであることが確認できて初めてチャンネルテーブルに登録する。
【００５３】
これにより、チャンネル設定時のチューナーでは良好に受信できた放送波を、チューナーの個体差等により他チューナーで受信できず、結果として録画に失敗する等の不具合を、回避できる。
【００５４】
〈実施の形態２〉
次に本発明の第２の実施形態を、図面を参照しながら説明する。なお、ここで示す実施形態は一例であり、本発明はここに示す実施形態に限定されるものではない。
【００５５】
〈２−１．内部構成について〉
実施の形態１と同内容であるため、ここでは説明を省略する。
【００５６】
〈２−２．機能部の構成について〉
本発明の第２の実施形態に係るチャンネル設定処理を実施するための各機能部の構成を、図４の機能ブロック図を用いながら説明する。なお実施の形態２の機能ブロック構成は、実施の形態１の機能ブロック構成に第２判定部１４ｅを追加した構成である。
【００５７】
第２判定部１４ｅは、ステップＳ１１０で用いられたチューナーを除くチューナー群１１の全チューナーが、ステップＳ１１０で取得され放送波の受信が可能であり、且つ、ステップＳ１３０で信号品質が所定レベル以下で悪いと判断された物理チャンネルの放送波を受信可能であるか否かを判定する。
【００５８】
チャンネル設定部１４ｄは、検出部１４ｂによって検出され、且つ、第１判定部１４ｃにより信号の品質が所定レベルより良好でないと判定され、且つ、ステップＳ１１０で用いられたチューナーを除くチューナー群１１の全チューナーが、ステップＳ１１０で取得され放送波の受信が可能であると第２判定部１４ｅによって判定された物理チャンネルの有無を確認する。当該物理チャンネルがあれば、チャンネル設定部１４ｄは、当該物理チャンネルと、放送波に関連する情報（例えば放送局名）と、所定のチャンネル番号と、を関連付けることにより、チャンネルテーブルを生成してＲＡＭ１５又はＨＤＤ１７に記録する。
【００５９】
なお、第２判定部１４ｅによる判定が行われる際に、各復調ＩＣから得られるＣ／Ｎ比やＢＥＲ等を記録し、その他の処理に利用する形態でもよい。例えば、全チューナーで放送波を受信できることが確認された後、信号品質の最も良いチューナーを使用して当該物理チャンネルを受信するよう、チャンネルテーブルに登録する形態でもよい。
【００６０】
また例えば、全チューナーで放送波を受信できることが確認された物理チャンネルであっても、信号品質が悪いチューナーが多数を占める場合に、この物理チャンネルを使用する優先度を低くするようチャンネルテーブルに記録する形態でもよい。
【００６１】
〈２−３．チャンネル設定処理について〉
ここで、本発明の第２の実施形態に係るＨＤＤレコーダ１００が実施する、チャンネル設定処理について、図５のフロー図を用いながら説明する。なお、第１の実施形態の図３と同様の処理については、同じステップ番号を付与することにより、説明を省略するものとする。
【００６２】
ステップＳ１３０において、取得したＣ／Ｎ比が予め定められた規定値を超えない場合、第２判定部１４ｅはステップＳ１６０において、チューナーを変更して受信状態をチェックする。すなわち、第１チューナー１１ａで受信していたのであれば、第２チューナー１１ｂ及び第３チューナー１１ｃにより受信を試行する。
【００６３】
次に第２判定部１４ｅはステップＳ１７０において、検出された物理チャンネルの放送波をステップＳ１１０で用いられたチューナーを除く全チューナーで受信できたか（つまりＴＳより放送データを取得できたか）否かを判定する。ステップＳ１１０で用いられたチューナーを除く全チューナーで放送波を受信できた場合、ステップＳ１４０へ移行し、この物理チャンネルをチャンネルテーブルに登録する。
【００６４】
一方、ステップＳ１１０で用いられたチューナーを除く全チューナーまたは一部チューナーで放送波を受信できなかった場合、ステップＳ１７１へ移行し、この物理チャンネルをチャンネルテーブルに登録しない。
【００６５】
以上に説明した本実施形態によれば、信号品質が許容範囲外の物理チャンネルであっても、全チューナーで当該物理チャンネルを受信可能であれば、当該物理チャンネルをチャンネルテーブルに登録する。これにより、安定した受信を維持しつつ、物理チャンネル登録に対する制限を緩めることができる。また、放送波を受信可能な周波数帯域の検出を必ず全てのチューナーで判定する方法と比較して、処理に要する時間を短縮することができる。
［その他の実施の形態］
【００６６】
以上、好ましい実施の形態及び実施例をあげて本発明を説明したが、本発明は必ずしも上記実施の形態に限定されるものではなく、その技術的思想の範囲内において様々に変形して実施することができる。
【００６７】
従って本発明は、以下の形態にも適用可能である。
【００６８】
（Ａ）上記実施形態では、本発明のチャンネル設定処理を実施する放送受信装置として、ＨＤＤレコーダ１００を例に説明しているが、これ以外の放送受信装置において実施する形態でもよい。例えば、複数のチューナーを備えたテレビジョン装置や、セットトップボックス等で実施する形態でもよい。
【００６９】
（Ｂ）上記実施形態では、本発明のチャンネル設定処理に関わる各機能部が、マイクロプロセッサ等の演算処理装置上で所定のプログラムを実行することにより実現されているが、各機能部が複数の回路により実現される形態でもよい。
【００７０】
（Ｃ）上記実施形態では、チャンネル登録を行うか否かの判定（ステップＳ１３０）をＣ／Ｎ比に基づいて行っているが、これ以外の指標、例えばＢＥＲやＯＦＤＭ信号判定結果に基づいて上記判定を行う形態でもよい。また、複数の指標を組み合わせて判定を行う形態でもよい。
【００７１】
（Ｄ）上記第２の実施形態では、Ｃ／Ｎ比が規定値を超えない場合にステップＳ１１０で用いられたチューナーを除く全チューナーによるチェックを行い、全チューナーで放送波を受信できる場合にステップＳ１４０へ移行しているが、チェック方法及びステップＳ１４０への移行条件はこれに限定されるものではなく、設計要件等に応じて適宜変更が可能である。例えば、ステップＳ１１０で用いられたチューナーを除く全チューナーをチェックし、その過半数で放送波を受信できることが確認された場合に、ステップＳ１４０へ移行する形態でもよい。或いは、半数のチューナーに対してチェックを行い、チェックを行った全チューナーで放送波を受信できることが確認された場合に、ステップＳ１４０へ移行する形態でもよい。
【符号の説明】
【００７２】
１００    ＨＤＤレコーダ（放送受信装置）
１１      チューナー群（放送受信部）
１１ａ    第１チューナー
１１ｂ    第２チューナー
１１ｃ    第３チューナー
１２      復調部
１２ａ    第１復調ＩＣ
１２ｂ    第２復調ＩＣ
１２ｃ    第３復調ＩＣ
１３      操作入力部
１４      ＣＰＵ
１４ａ    選局制御部
１４ｂ    検出部
１４ｃ    第１判定部
１４ｄ    チャンネル設定部
１４ｅ    第２判定部
１５      ＲＡＭ（記録部）
１６      ＲＯＭ
１７      ＨＤＤ（記録部）
２１      オーディオフィルタ
２２      オーディオデコーダ
３１      ビデオフィルタ
３２      ビデオデコーダ
４１      データフィルタ
４２      データデコーダ
５１      出力部
【図１】
2014171070.tif 000003
【図２】
2014171070.tif 000004
【図３】
2014171070.tif 000005
【図４】
2014171070.tif 000006
【図５】
2014171070.tif 000007